(57)【要約】【課題】追従性に依存する等の時間差による影響を受けずにスミア発生を低減させ、画質の劣化を低減する。【解決手段】所定数の転送パケットを用いて受光素子から読み出した電荷の垂直転送を行う撮像素子を遮光することなく連続して複数の画像を撮像する場合に、出力信号に含まれるスミア量を検出し、検出されたスミア量に応じたパケット数で受光素子から読み出した電荷を垂直転送する。【選択図】  図６
2010171878.tif 000002
【特許請求の範囲】
【請求項１】
二次元的に配列された複数の受光素子と、
複数の転送電極を有し、各転送電極に印加された垂直駆動パルスに応じたパケット数で前記受光素子から読み出した電荷を垂直方向に転送する垂直転送路と、
前記垂直転送路から出力された電荷を水平方向に転送する水平転送路と、
前記水平転送路から出力された電荷に応じた出力信号を生成する生成手段と、
を備えた撮像素子を用いて連続して複数の画像を撮像する撮像装置において、
前記出力信号に含まれるスミア量を検出する検出手段と、
前記検出手段により検出されたスミア量に応じて転送可能なパケット数を設定する設定手段と、
前記設定されたパケット数に基づいて前記転送電極に印加する垂直駆動パルスを制御する手段と、
を備えたことを特徴とする撮像装置。
【請求項２】
前記設定手段は、前記検出手段により検出されたスミア量が所定値より大きい場合に前記パケット数を減少させることを特徴とする請求項１に記載の撮像装置。
【請求項３】
前記設定手段は、前記出力信号の信号量に応じて前記パケット数を設定することを特徴とする請求項１または２に記載の撮像装置。
【請求項４】
前記設定手段は、前記出力信号から前記受光素子の１画素あたりの最大信号量を検出し、前記検出した最大信号量に基づいて前記パケット数を減少させることを特徴とする請求項３に記載の撮像装置。
【請求項５】
前記受光素子の１画素あたりの最大信号量が前記垂直転送路の１転送電極あたりの転送可能信号量より小さくなるように前記受光素子の信号量を減少させる手段を備えたことを特徴とする請求項１から４のいずれかに記載の撮像装置。
【請求項６】
前記受光素子の信号量を減少させる手段は、電子シャッタであることを特徴とする請求項５に記載の撮像装置。
【請求項７】
前記撮像素子は、オプティカルブラック領域の受光素子を備え、
前記検出手段は、前記オプティカルブラック領域の受光素子の出力信号に基づいて、スミア量を検出することを特徴とする請求項１から６のいずれかに記載の撮像装置。
【請求項８】
二次元的に配列された複数の受光素子と、複数の転送電極を有し、各転送電極に印加された垂直駆動パルスに応じたパケット数で前記受光素子から読み出した電荷を垂直方向に転送する垂直転送路と、前記垂直転送路から出力された電荷を水平方向に転送する水平転送路と、前記水平転送路から出力された電荷に応じた出力信号を生成する生成手段とを備えた撮像素子の制御方法において、
連続して複数の画像を撮像する指示を入力する工程と、
前記出力信号に含まれるスミア量を検出する検出工程と、
前記検出工程により検出されたスミア量に応じて転送可能なパケット数を設定する設定工程と、
前記設定されたパケット数に基づいて前記転送電極に印加する垂直駆動パルスを制御する工程と、
を備えたことを特徴とする撮像素子の制御方法。
【発明の詳細な説明】
【技術分野】
【０００１】
本発明は撮像装置及び撮像素子の制御方法に係り、特に、スミア発生を低減させることにより画質の劣化を低減する撮像装置及び撮像素子の制御方法に関する。
【背景技術】
【０００２】
近年、固体撮像素子の微細化により開口部と垂直転送路の間隔が狭まり、垂直転送路の遮光マージンが減少してきている。このような背景から、電荷転送時にメカシャッタを閉じることのない動画撮影モードでは、スミアの発生が増大し、画質を劣化させている。
【０００３】
このような課題に対し、特許文献１には、有効画素領域外の遮光された垂直ＯＢ部の出力レベルをスミア成分の出力信号とみなし、これを有効画素信号から減算することでスミアを補正する技術が記載されている。特許文献１の技術によれば、正しいスミア補正が行われ、画質の劣化を防止することができる。
【０００４】
また、特許文献２には、信号電荷を含む第１の電荷と信号電荷を含まない第２の電荷とを別々に転送し、第１の電荷と第２の電荷との差分に基づいてスミアを除去する技術が記載されている。特許文献２の技術によれば、スミア成分を確実に除去することができる。
【特許文献１】特開２００１−８６４１３号公報
【特許文献２】特開２００５−３２８２１２号公報
【発明の開示】
【発明が解決しようとする課題】
【０００５】
しかしながら、特許文献１の技術は、追従性が悪いため、強い光が動いている場合には正確にスミア補正することができないという問題点があった。また、特許文献２の技術には、作動アンプを有するなど構造が複雑になるという欠点があった。
【０００６】
本発明はこのような事情に鑑みてなされたもので、構造の変更が不要であり、追従性に依存する等の時間差による影響を受けずにスミア発生を低減させ、画質の劣化を低減する撮像装置及び撮像素子の制御方法を提供することを目的とする。
【課題を解決するための手段】
【０００７】
前記目的を達成するために請求項１に記載の撮像装置は、二次元的に配列された複数の受光素子と、複数の転送電極を有し、各転送電極に印加された垂直駆動パルスに応じたパケット数で前記受光素子から読み出した電荷を垂直方向に転送する垂直転送路と、前記垂直転送路から出力された電荷を水平方向に転送する水平転送路と、前記水平転送路から出力された電荷に応じた出力信号を生成する生成手段と、を備えた撮像素子を用いて連続して複数の画像を撮像する撮像装置において、前記出力信号に含まれるスミア量を検出する検出手段と、前記検出手段により検出されたスミア量に応じて転送可能なパケット数を設定する設定手段と、前記設定されたパケット数に基づいて前記転送電極に印加する垂直駆動パルスを制御する手段とを備えたことを特徴とする。
【０００８】
請求項１によれば、動画撮影などで連続して複数の画像を撮像する場合に、出力信号に含まれるスミア量を検出し、検出されたスミア量に応じたパケット数で受光素子から読み出した電荷を垂直転送するようにしたので、スミア発生を低減させ、画質の劣化を低減することができる。
【０００９】
請求項２に示すように請求項１に記載の撮像装置において、前記設定手段は、前記検出手段により検出されたスミア量が所定値より大きい場合に前記パケット数を減少させることを特徴とする。
【００１０】
これにより、スミア発生を低減するように適切にパケット数を設定することができる。
【００１１】
請求項３に示すように請求項１または２に記載の撮像装置において、前記設定手段は、前記出力信号の信号量に応じて前記パケット数を設定することを特徴とする。
【００１２】
これにより、受光素子の信号量に応じて適切にパケット数を設定することができる。
【００１３】
請求項４に示すように請求項３に記載の撮像装置において、前記設定手段は、前記出力信号から前記受光素子の１画素あたりの最大信号量を検出し、前記検出した最大信号量に基づいて前記パケット数を減少させることを特徴とする。
【００１４】
これにより、１画素あたりの最大信号量に応じて適切にパケット数を設定することができる。
【００１５】
請求項５に示すように請求項１から４のいずれかに記載の撮像装置において、前記受光素子の１画素あたりの最大信号量が前記垂直転送路の１転送電極あたりの転送可能信号量より小さくなるように前記受光素子の信号量を減少させる手段を備えたことを特徴とする。
【００１６】
これにより、受光素子の信号量が多い場合であっても、最小パケット数での転送をすることができる。
【００１７】
請求項６に示すように請求項５に記載の撮像装置において、前記受光素子の信号量を減少させる手段は、電子シャッタであることを特徴とする。
【００１８】
これにより、適切に受光素子の信号量を減少させることができる。
【００１９】
請求項７に示すように請求項１から６のいずれかに記載の撮像装置において、前記撮像素子は、オプティカルブラック領域の受光素子を備え、前記検出手段は、前記オプティカルブラック領域の受光素子の出力信号に基づいて、スミア量を検出することを特徴とする。
【００２０】
これにより、適切にスミア量を検出することができる。
【００２１】
前記目的を達成するために請求項８に記載の撮像素子の制御方法は、二次元的に配列された複数の受光素子と、複数の転送電極を有し、各転送電極に印加された垂直駆動パルスに応じたパケット数で前記受光素子から読み出した電荷を垂直方向に転送する垂直転送路と、前記垂直転送路から出力された電荷を水平方向に転送する水平転送路と、前記水平転送路から出力された電荷に応じた出力信号を生成する生成手段とを備えた撮像素子の制御方法において、連続して複数の画像を撮像する指示を入力する工程と、前記出力信号に含まれるスミア量を検出する検出工程と、前記検出工程により検出されたスミア量に応じて転送可能なパケット数を設定する設定工程と、前記設定されたパケット数に基づいて前記転送電極に印加する垂直駆動パルスを制御する工程とを備えたことを特徴とする。
【００２２】
請求項８によれば、動画撮影などで連続して複数の画像を撮像する場合に、出力信号に含まれるスミア量を検出し、検出されたスミア量に応じたパケット数で受光素子から読み出した電荷を垂直転送するようにしたので、スミア発生を低減させ、画質の劣化を低減することができる。
【発明の効果】
【００２３】
本発明によれば、動画撮影などで連続して複数の画像を撮像する場合に、出力信号に含まれるスミア量を検出し、検出されたスミア量に応じたパケット数で受光素子から読み出した電荷を垂直転送するようにしたので、スミア発生を低減させ、画質の劣化を低減することができる。
【発明を実施するための最良の形態】
【００２４】
以下に、本発明を実施するための最良の形態について説明する。
【００２５】
図１は、本発明に係るデジタルカメラ１０の電気的構成の一例を示す図である。同図に示すように、デジタルカメラ１０は、撮像部１１、アナログ信号処理部１２、Ａ／Ｄ変換部１３、駆動部１４、デジタル信号処理部１５、圧縮／伸張処理部１６、表示部１７、バス１８、システム制御部（ＣＰＵ）１９、操作部２０、内部メモリ２１、メディアインターフェース２２、記録メディア２３、及びストロボ２４等を備えて構成される。
【００２６】
各部はＣＰＵ１９に制御されて動作し、ＣＰＵ１９は、操作部２０からの入力に基づき所定の制御プログラムを実行することにより、デジタルカメラ１０の各部を制御する。
【００２７】
デジタルカメラ１０は図示しないＲＯＭを備えており、ＲＯＭにはＣＰＵ１９が実行する制御プログラムのほか、制御に必要な各種データ等が記録されている。ＣＰＵ１９は、ＲＯＭに記録された制御プログラムを内部メモリ２１に読み出し、逐次実行することにより、デジタルカメラ１０の各部を制御する。
【００２８】
なお、内部メモリ２１は、ＳＤＲＡＭで構成されており、プログラムの実行処理領域として利用されるほか、画像データ等の一時記憶領域、各種作業領域として利用される。
【００２９】
操作部２０は、図示しない電源ボタン、シャッターレリーズボタン、撮影モード／再生モード切替スイッチ等を備え、それぞれの操作に応じた信号をＣＰＵ１９に出力する。
【００３０】
撮像部１１は、図示しないズームレンズ、フォーカスレンズ、絞り、及びメカシャッタの他、ＣＣＤ１００を備えている。ズームレンズ、フォーカスレンズ、絞り、及びメカシャッタは、駆動部１４に駆動されて、ズーミング、フォーカシング、絞りの開口量（Ｆ値）変更、及びメカシャッタの開閉を行う。
【００３１】
ＣＣＤ１００は、ズームレンズ、フォーカスレンズ、絞り、及びメカシャッタの後段に配置されており、レンズを透過した被写体光を受光する。
【００３２】
図２は、ＣＣＤ１００の概略を示す図であり、点線矢印は電荷の移動方向を示している。同図に示すように、ＣＣＤ１００の受光面には多数のフォトダイオード（ＰＤ）１０１が二次元的に配列されており、各フォトダイオード１０１に対応して図示しない赤（Ｒ）、緑（Ｇ）、青（Ｂ）の原色カラーフィルタが所定の配列構造で配置されている。受光面上に結像された被写体光は、各フォトダイオード１０１によって電気信号に変換され、蓄積される。
【００３３】
各フォトダイオード１０１に蓄積された電気信号は、フォトダイオード１０１の垂直列毎に備えられた垂直転送路（ＶＣＣＤ）１０２に、読み出しゲート１０８を介して読み出される。垂直転送路１０２は、Ｖ１〜Ｖ８の転送電極を備えており、フォトダイオード１０１から読み出された信号を、駆動部１４から供給される８相の駆動パルスに同期して１ラインずつラインメモリ（ＬＭ）１０３に転送する。ラインメモリ１０３に転送された信号は、所定の画素加算等が行われた後、水平転送路（ＨＣＣＤ）１０４に転送される。さらに水平転送路１０４は、垂直転送路１０２から転送された１ライン分の信号を、駆動部１４から供給される駆動パルスに同期してアンプ部１０５に入力し、アンプ部１０５で増幅された信号がアナログ信号処理部１２へ出力される。
【００３４】
なお、図２に示す１１０はオプティカルブラック領域（ＯＢ領域）であり、ＯＢ領域１１０のフォトダイオード１０１は、アルミニウムなどの図示しない遮光部材によって覆われている。
【００３５】
また、ＣＣＤ１００は、駆動部１４から図示しないオーバーフロードレイン電極に印加される電子シャッタパルスにより、各フォトダイオード１０１に蓄積された電荷を撮像素子の基板側に排出することが可能となっている。
【００３６】
なお、画像信号の出力は、デジタルカメラ１０が撮影モードにセットされると開始される。即ち、デジタルカメラ１０が撮影モードにセットされると、表示部１７にスルー画像を表示するため、画像信号の出力が開始される。このスルー画像用の画像信号の出力は、本撮影の指示が行われると一旦停止され、本撮影が終了すると再度開始される。なお、本撮影終了時には、一定時間、表示部１７に本撮影された撮影画像が表示される（ポストビュー）。ユーザは、ポストビューを確認することにより、撮影画像が適切に撮影できたか否かを確認することができる。
【００３７】
アナログ信号処理部１２は、図示しない相関二重サンプリング回路（ＣＤＳ）、クランプ処理回路、及び自動ゲインコントロール回路（ＡＧＣ）を含んで構成される。
【００３８】
ＣＤＳは、画像信号に含まれているノイズの除去を行う。クランプ処理回路は、ＯＢ領域１１０のフォトダイオードの出力信号に基づいて暗電流成分を除去する処理を行う。さらに、ＡＧＣは、暗電流成分が除去された画像信号を、設定された撮影感度（ＩＳＯ感度）に応じた所定のゲインで増幅する。
【００３９】
所要の信号処理が施されたアナログの画像信号は、Ａ／Ｄ変換部１３において所定ビットの階調幅を持ったデジタルの画像信号に変換される。この画像信号は、いわゆるＲＡＷデータであり、画素毎にＲ、Ｇ、Ｂの濃度を示す階調値を有している。このデジタルの画像信号は、デジタル信号処理部１５に転送される。
【００４０】
デジタル信号処理部１５は、Ａ／Ｄ変換部１３により生成されたＲ、Ｇ、Ｂの各色の画像信号に対して所定の信号処理を施し、輝度信号Ｙと色差信号Ｃｒ、Ｃｂとからなる画像信号（Ｙ／Ｃ信号）を生成する。
【００４１】
圧縮／伸張処理部１６には、バス１８を介してＹ／Ｃ信号が入力され、ＣＰＵ１９からの圧縮指令に従い、入力されたＹ／Ｃ信号に所定形式（たとえば、ＪＰＥＧ）の圧縮処理を施し、圧縮画像データを生成する。また、ＣＰＵ１９からの伸張指令に従い、入力された圧縮画像データに所定形式の伸張処理を施して、非圧縮の画像データを生成する。
【００４２】
バス１８には、ＣＰＵ１９、デジタル信号処理部１５、圧縮／伸張処理部１６のほか、表示部１７、内部メモリ２１、メディアインターフェース２２等が接続されており、これらはバス１８を介して互いに情報を送受信できるようにされている。
【００４３】
メディアインターフェース２２は、ＣＰＵ１９からの指令に従い、記録メディア２３に対してデータの読み／書きを制御する。なお、記録メディア２３は、メモリカードのようにデジタルカメラ１０の本体に対して着脱自在なものでもよいし、デジタルカメラ１０の本体に内蔵されたものでもよい。着脱自在とする場合は、デジタルカメラ１０の本体にカードスロットを設け、このカードスロットに装填して使用する。
【００４４】
表示部１７は、動画（スルー画像）を表示して電子ビューファインダとして使用できるとともに、撮影した記録前の画像（ポストビュー画像）や記録メディア２３から読み出した再生画像等を表示することができる液晶モニタである。
【００４５】
ストロボ２４は、発光部としての放電管（例えば、キセノン管）、トリガー回路、放電用エネルギーを蓄積するメインコンデンサ及びその充電回路などを含み、ＣＰＵ１９は必要に応じてストロボ２４の発光を制御する。
【００４６】
次に、ＣＣＤ１００のフォトダイオード１０１への入射光によるスミア電荷の発生について説明する。図３は、ＣＣＤ１００の断面の一部を示す図である。同図に示すように、垂直転送路１０２上に形成された転送電極１０６の上部には、アルミニウム膜等で構成された遮光部材１０７が配置され、垂直転送路１０２への光の入射を防止している。しかし、近年のＣＣＤ１００の微細化により、フォトダイオード１０１上部の開口部と、垂直転送路１０２上部の遮光部材１０７との間の距離が狭くなり、垂直転送路１０２に入射光が侵入しやすくなってきている。静止画撮影時は、図示しないメカシャッタを閉じることにより、電荷の垂直転送時の垂直転送路１０２への光の入射を防止することができるが、動画撮影時や連写撮影時には、メカシャッタを開けた状態で電荷の垂直転送を行うため、垂直転送路１０２への光の入射の影響により、スミア電荷の発生という弊害が発生する。
【００４７】
図４は、ＣＣＤ１００の垂直転送路１０２及びフォトダイオード１０１の電位レベルの概略図である。駆動部１４からＶ１〜Ｖ８の各転送電極１０６に印加される駆動パルスは、電位ＶＨ、ＶＭ、ＶＬから構成されている。電位ＶＬ及びＶＭは、垂直転送路１０２上の電荷を垂直方向に転送する時に印加する電位であり、電位ＶＨは、フォトダイオード１０１に蓄積されている電荷を垂直転送路１０２に読み出す時（フィールドシフト時）に加えられる電位である。例えば、ＶＬが−８Ｖ、ＶＭが０Ｖ、ＶＨが１４Ｖとなっている。
【００４８】
ここで、転送電極１０６に印加されている電位がＶＭのときは、転送電極１０６下の垂直転送路１０２に電井戸が形成されるため、垂直転送路１０２に光の入射があった場合には、この電井戸にスミア電荷が蓄積されてしまう。
【００４９】
しかし、転送電極１０６に印加されている電位がＶＬのときは、転送電極１０６下の垂直転送路１０２に電井戸が形成されないため、垂直転送路１０２に光の入射があっても、垂直転送路１０２内にスミア電荷は蓄積されない。また、読み出しゲート１０８の電位が高くなるため、入射光の影響を受けにくい。
【００５０】
本発明は、この原理を利用して、スミアの影響を最小限に押え、画質の劣化を低減させる。
【００５１】
図５は、デジタルカメラ１０の動画撮影時におけるＣＣＤ１００の垂直転送のパケット数を決定する処理のフローチャートである。
【００５２】
デジタルカメラ１０は、操作部２０により電源がオンされ、動画撮影モードに設定されると、撮像部１１から画像信号の出力が開始され、表示部１７にスルー画像の表示を開始する。さらに、操作部２０の図示しない撮影開始ボタンを押すことにより、動画撮影を開始することができる。
【００５３】
動画撮影が開始されると、ＣＰＵ１９は、駆動部１４を介してＣＣＤ１００を駆動タイミング１で駆動する（ステップＳ１）。駆動タイミング１について、図６を用いて説明する。図６は、駆動タイミング１において垂直転送路１０２の各転送電極１０６（Ｖ１〜Ｖ８）に印加される電位のタイミングチャートである。
【００５４】
前述したように、垂直転送路１０２は駆動部１４から供給される８相の駆動パルスにより駆動される。駆動タイミング１における各転送電極に印加されるパルスは、図６に示すように構成されている。このように水平２ライン分の信号が垂直方向に転送され、ラインメモリ１０３において加算処理が行われた後に、水平転送路１０４において水平１ライン分の信号として水平方向に転送される。
【００５５】
ここで、図７を用いて、図６に示すｔ１〜ｔ４の期間の電荷の移動について説明する。
図７は、ｔ１〜ｔ４の各期間における垂直転送路１０２に形成される電井戸と、電井戸内に蓄積された信号成分とスミア成分を示している。
【００５６】
同図に示すように、期間ｔ１においては、Ｖ８、及びＶ１〜Ｖ３電極に電位ＶＭが印加されているため、垂直転送路１０２には、これらの電極下に電井戸が形成される（４パケット）。同図において、１１１は信号成分、１１２はスミア成分を示している。
【００５７】
次に、期間ｔ２に移行すると、Ｖ８電極の印加電位が電位ＶＬになるため、Ｖ８電極下に存在していた信号成分１１１及びスミア成分１１２は、Ｖ１〜Ｖ３電極下に移動する（３パケット）。
【００５８】
次に、期間ｔ３に移行すると、Ｖ４電極の印加電位が電位ＶＨになるため、Ｖ１〜Ｖ３電極下に存在していた信号成分１１１及びスミア成分１１２は、Ｖ１〜Ｖ４電極下に広がる（４パケット）。
【００５９】
さらに、期間ｔ４に移行すると、Ｖ１電極の印加電位が電位ＶＬになるため、Ｖ１電極下に存在していた信号成分１１１及びスミア成分１１２は、Ｖ２〜Ｖ４電極下に移動する（３パケット）。
【００６０】
このように、駆動タイミング１では、４パケットと３パケットを切り替えた転送を行う。前述のように、印加されている電位が電位ＶＭのときは、垂直転送路１０２に光の入射があった場合に、スミア電荷が蓄積されてしまう。したがって、転送パケットが多いほうが、スミアの影響を受けやすいこととなる。
【００６１】
次に、駆動タイミング１で取得した画像信号から、スミア量を検出し、検出したスミア量が閾値以上であるか否かを判定する（ステップＳ２）。スミア量の検出は、例えばデジタル信号処理部１５において、ＣＣＤ１００のオプティカルブラック領域の出力レベルを評価することにより検出する。
【００６２】
スミア量が閾値未満の場合は、スミアの影響が少ないため、継続して駆動タイミング１を用いて、動画撮影を行う（ステップＳ８）。
【００６３】
スミア量が閾値以上の場合は、フォトダイオード１０１の１画素あたりの最大信号量と、現在のパケット数で転送可能な信号量の総和とを比較する（ステップＳ３）。現在のパケット数で転送可能な信号量の総和の方が大きい場合は、転送可能なパケット数までパケット数を減らした駆動タイミング２に変更する（ステップＳ５）。例えば、フォトダイオード１０１の１画素あたりの最大信号量を１０、１パケットあたりに転送可能な信号量（１転送電極あたりに転送可能な信号量）を５とすると、転送可能なパケット数は２になる。したがって、この場合の駆動タイミング２は、３パケットと２パケットでの転送を行う。
【００６４】
さらに、駆動タイミング２で駆動した場合におけるスミア量を検出し、検出したスミア量が閾値以上であるか否かを判定する（ステップＳ６）。検出したスミア量が閾値未満の場合は、スミアの影響が少ないため、駆動タイミング２を用いて、動画撮影を行う（ステップＳ８）。
【００６５】
ステップＳ３において、フォトダイオード１０１の１画素あたりの最大信号量の方が大きいと判断した場合、及びステップＳ６において、検出したスミア量が閾値以上であると判断した場合は、フォトダイオード１０１の１画素あたりの最大信号量が１パケットあたりに転送可能な信号量（１転送電極あたりに転送可能な信号量）未満となるように変更する（ステップＳ４）。フォトダイオード１０１の信号量を減らすには、例えば、電子シャッタパルスの印加時間を変更し、フォトダイオード１０１への露光時間を変更する。図示しない絞りを駆動してフォトダイオード１０１への入射光量を減らすことにより、フォトダイオード１０１の信号量を減らしてもよい。
【００６６】
フォトダイオード１０１の信号量を減らしたら、駆動タイミング３で駆動し（ステップＳ７）、動画撮影を行う（ステップＳ８）。駆動タイミング３について、図８を用いて説明する。図８は、駆動タイミング３において垂直転送路１０２の各転送電極１０６（Ｖ１〜Ｖ８）に印加される電位のタイミングチャートである。駆動タイミング３における各転送電極に印加されるパルスは、図８に示すように構成されている。
【００６７】
ここで、図９を用いて、図８に示すｔ１〜ｔ４の期間の電荷の移動について説明する。図９は、各期間における垂直転送路１０２に形成される電井戸と、電井戸内に蓄積された信号成分とスミア成分を示している。
【００６８】
同図に示すように、期間ｔ１においては、Ｖ８及びＶ１電極に電位ＶＭが印加されているため、垂直転送路１０２には、これらの電極下に電井戸が形成される（２パケット）。
【００６９】
次に、期間ｔ２に移行すると、Ｖ８電極の印加電位が電位ＶＬになるため、Ｖ８電極下に存在していた信号成分１１１及びスミア成分１１２は、Ｖ１電極下に移動する（１パケット）。
【００７０】
次に、期間ｔ３に移行すると、Ｖ２電極の印加電位が電位ＶＨになるため、Ｖ１電極下に存在していた信号成分１１１及びスミア成分１１２は、Ｖ１、Ｖ２電極下に広がる（２パケット）。
【００７１】
さらに、期間ｔ４に移行すると、Ｖ１電極の印加電位が電位ＶＬになるため、Ｖ１、Ｖ２電極下に存在していた信号成分１１１及びスミア成分１１２は、Ｖ２電極下に移動する（１パケット）。
【００７２】
このように、駆動タイミング３では、２パケットと１パケットを切り替えた転送を行う。電位ＶＨが印加されている電極が最小となるため、垂直転送路１０２に光が入射した場合であっても、駆動タイミング１よりもスミア量が低減されるため、スミアの影響を受けにくくなる。また、駆動タイミング２についても、駆動タイミング１よりもパケット数を減少させるため、スミアの影響を受けにくくなる。駆動タイミング１のパケット数が大きいほど、駆動タイミング２、３におけるスミア低減の効果は大きい。
【００７３】
垂直転送のパケット数を減少させると転送容量が小さくなってしまうが、動画撮影モードにおいては、ラインメモリ１０３を使用して画素加算を行っているため、結果として出力信号は増加する。また、図示しないＡＧＣにおけるゲインを上げて出力信号を増加させることにより、駆動タイミング１と同等の画像を得ることが可能となる。
【００７４】
本実施の形態では、動画撮影時を例に説明したが、メカニカルシャッタを閉じることなく連続して静止画撮影を行う連写撮影時においても、本発明は適用可能である。
【００７５】
また、本実施の形態のＣＣＤ１００は、Ｖ１〜Ｖ８の転送電極を備え、８相の駆動パルスにより駆動される例で説明したが、垂直転送路の相数は８相に限定されるものではなく、何相でもよい。なお、垂直転送路の相数の多い方が、本発明の効果は大きい。
【図面の簡単な説明】
【００７６】
【図１】図１は、本発明に係るデジタルカメラ１０の電気的構成の一例を示す図である。
【図２】図２は、ＣＣＤ１００の概略を示す図である。
【図３】図３は、ＣＣＤ１００の断面の一部を示す図である。
【図４】図４は、ＣＣＤ１００の垂直転送路１０２及びフォトダイオード１０１の電位レベルの概略図である。
【図５】図５は、デジタルカメラ１０の動画撮影時におけるＣＣＤ１００の垂直転送のパケット数を決定する処理のフローチャートである。
【図６】図６は、駆動タイミング１における垂直転送及び水平転送のタイミングチャートである。
【図７】図７は、駆動タイミング１において形成される電井戸と、電井戸内の信号成分とスミア成分を示す図である。
【図８】図８は、駆動タイミング３における垂直転送及び水平転送のタイミングチャートである。
【図９】図９は、駆動タイミング３において形成される電井戸と、電井戸内の信号成分とスミア成分を示す図である。
【符号の説明】
【００７７】
１０…デジタルカメラ、１１…撮像部、１２…アナログ信号処理部、１３…Ａ／Ｄ変換部、１４…駆動部、１５…デジタル信号処理部、１８…バス、１９…システム制御部、２０…操作部、２１…内部メモリ、１００…ＣＣＤ、１０１…フォトダイオード、１０２…垂直転送路、１０６…転送電極、１０７…遮光部材、１０８…読み出しゲート、１１０…ＯＢ領域
【図１】
2010171878.tif 000003
【図２】
2010171878.tif 000004
【図３】
2010171878.tif 000005
【図４】
2010171878.tif 000006
【図５】
2010171878.tif 000007
【図６】
2010171878.tif 000008
【図７】
2010171878.tif 000009
【図８】
2010171878.tif 000010
【図９】
2010171878.tif 000011